(57)【要約】【課題】不安定な姿勢でランプを回転させてソケットに装着しなければならない場合であってもランプの回転軸が大きくぶれることがなく、ランプピンをスムーズにソケットの凹部底面のランプピン固定用穴部に挿入することを簡単な構造で実現できる照明装置を提供する。【解決手段】ランプが口金部の先端面に突設された一対のランプピンを有し、ソケットがランプピンを挿入回転することでランプピンをソケットに電気的に接続する端子を備えた一対のランプピン固定用穴部を有し、ランプピンをランプピン固定用穴部にてソケットに電気的に接続するためにランプをソケットに対して回転させることでランプピンをソケット底面で回転させてランプピン固定用穴部をさぐる際に、回転するランプの口金部の周囲が有底略円筒形状凹部の内壁面でガイドして回転するランプの回転軸が大きくぶれないように構成される照明装置を提供する。【選択図】図２
2011040286.tif 000002
【特許請求の範囲】
【請求項１】
略円筒形状の口金部を有するランプと、前記ランプを着脱可能に装着するために前記口金部を嵌装可能な有底略円筒形状凹部を有するソケットと、からなる照明装置であって、
前記ランプは、口金部の先端面に突設された一対のランプピンを有し、
前記ソケットは、
前記ランプピンを挿入回転することでランプピンをソケットに電気的に接続する端子を備えた一対のランプピン固定用穴部を有し、
ランプピンをランプピン固定用穴部にてソケットに電気的に接続するためにランプをソケットに対して回転させることでランプピンをソケット底面で回転させてランプピン固定用穴部をさぐる際に、回転するランプの口金部の周囲が有底略円筒形状凹部の内壁面でガイドして回転するランプの回転軸が大きくぶれないように構成される照明装置。
【請求項２】
請求項１に記載のソケット。
【発明の詳細な説明】
【技術分野】
【０００１】
本件発明は、照明装置に関し、特に、略円筒形状の口金部を有するランプと、ランプを着脱可能に装着するために口金部を嵌装可能な有底略円筒形状凹部を有するソケットとからなる照明装置に関する。
【背景技術】
【０００２】
略円筒形状の口金部を有するランプと、ランプを着脱可能に装着するために口金部を嵌装可能な有底略円筒形状凹部（以下、単に「凹部」ということがある）を有するソケットとからなる照明装置において、ランプのソケットへの装着方法としては、ランプの口金部に突設された一対のランプピンをソケットの凹部底面に設けられた一対のランプピン固定用穴部に挿入し、ランプをソケットの底面に平行な方向にひねるようにして回転させ、ランプピンをソケットの端子に接触させて係止する方法（いわゆるツイストロック式）が広く用いられている。
【０００３】
このような方法においては、ランプをソケットに装着するために口金部の先端面に突設されたランプピンをランプピン固定用穴部に重なる位置に合わせるための動作（いわゆるランプピンの位置決め）を行う必要がある。かかる位置決めの方法として、従来から、ランプの口金部に突設されたランプピンをソケットの凹部の底面にあてがって押しつけながら、ランプをソケットの凹部底面と平行に回転させて凹部の底面に設けられたランプピン固定用穴部をさぐるという方法が用いられてきた。この方法によれば、ランプピンがランプピン固定用穴部の位置に重なったところで、凹部の底面に押しつけられたランプピンがランプピン固定用穴部に挿入されて、ランプのソケットへの装着が実現されることになる。
【０００４】
なお、このような方法を用いてランプをソケットに装着するタイプの照明装置においては、ランプピンの位置決めをスムーズに行うための工夫を加えたものも存在する。例えば、特許文献１においては、ソケットの嵌合凹部の内周部に、ランプピンを挿入したソケットボディの係止凸部を挿入させる挿入溝と、これに連続して係止凸部を周方向にガイドするガイド溝とを備えるリングと、このリングに形成されて係止凸部がガイド溝にガイドされた位置で弾性凸部が弾性係止する位置決め溝を設ける方法が開示されている（特許文献１参照）。
【先行技術文献】
【特許文献】
【０００５】
【特許文献１】実公平６‐１９１６４号公報
【発明の概要】
【発明が解決しようとする課題】
【０００６】
ところで、照明装置は、ソケットが天井付近などの直接視認しにくい位置に取り付けられていることも多い。このような場合には、ランプ交換などのためにソケットにランプを装着しようとする際に、ランプピンをソケットの有底略円筒形状凹部の底面にあてがって回転させながらランプピン固定用穴部に挿入する動作を行う際には、上に手を伸ばしつつ天井を仰ぐような不安定な姿勢のまま手探りで行うことなる。
【０００７】
しかしながら、従来の照明装置においては、ソケットの凹部の高さ（深さ）がランプピンの長さより短いため、このような不安定な姿勢で動作を行った場合、ランプピンをソケットの凹部底面にあてがいながらランプを当該底面に平行に回転させること、即ちランプの回転軸が垂直方向になるように回転させることが困難であった。このため、ランプの回転軸が大きくぶれてしまい、ランプピンをスムーズにソケットの凹部底面のランプピン固定用穴部に挿入することが困難であった。
【０００８】
図５は、このような従来の照明装置におけるソケットとランプの形状の一例を示す概念図である。本図は、ソケットとランプの形状をソケット、ランプそれぞれを略中央で切断する垂直断面で示したものである。ただし、本図はソケット、ランプ両者の形状の関係を示す概念図であるため、ソケット、ランプの内部の形状（例えばソケットのランプピン固定用穴部など）の図示は省略した。なお、本図中、ソケットの断面は右上がり斜線で示し、ランプの断面は左上がり斜線で示した。
【０００９】
図５（ａ）に示すように、本例のソケット０５２０の凹部の高さ（深さ）Ｌ１´は、ランプ０５１０のランプピン０５１２の長さＬ２´より短い。このため、（ｂ）に示すように、ランプピンをソケットの凹部底面にあてがい押しつけながら底面に平行に回転させようとしても、動作を行なう者の姿勢が不安定なためランプが傾いてしまい、ランプの回転軸（破線で示す）が垂直方向からは大きくぶれてしまう。この結果、ランプピンをスムーズにソケットの凹部底面のランプピン固定用穴部に挿入することが困難となる。
【００１０】
このような課題を解決して、ランプピンをスムーズにソケットの凹部底面のランプピン固定用穴部に挿入することができるようにしたものはこれまで存在しなかった。なお、上述の特許文献１でも、ランプピンの位置決めをスムーズに行うための工夫がなされているものの、そのための方法としてソケットの嵌合凹部の内周部に挿入溝とガイド溝とを備えるリングおよび位置決め溝といった新たな部材や構成を備える必要があり、構造が複雑となるといった問題があった。
【００１１】
そこで、本発明の解決すべき課題は、不安定な姿勢でランプを回転させてソケットに装着しなければならない場合であっても、ランプの回転軸が大きくぶれることがなく、ランプピンをスムーズにソケットの凹部底面のランプピン固定用穴部に挿入することを簡単な構造で実現できる照明装置を提供することにある。
【課題を解決するための手段】
【００１２】
以上の課題を解決するため、第一の発明は、略円筒形状の口金部を有するランプと、前記ランプを着脱可能に装着するために前記口金部を嵌装可能な有底略円筒形状凹部を有するソケットと、からなる照明装置であって、前記ランプは、口金部の先端面に突設された一対のランプピンを有し、前記ソケットは、前記ランプピンを挿入回転することでランプピンをソケットに電気的に接続する端子を備えた一対のランプピン固定用穴部を有し、ランプピンをランプピン固定用穴部にてソケットに電気的に接続するためにランプをソケットに対して回転させることでランプピンをソケット底面で回転させてランプピン固定用穴部をさぐる際に、回転するランプの口金部の周囲が有底略円筒形状凹部の内壁面でガイドして回転するランプの回転軸が大きくぶれないように構成される照明装置を提供する。
【００１３】
また、第二の発明は、第一の発明に記載のソケットを提供する。
【発明の効果】
【００１４】
本発明により、不安定な姿勢でランプを回転させてソケットに装着しなければならない場合であっても、ランプの回転軸が大きくぶれることがなく、ランプピンをスムーズにソケットの凹部底面のランプピン固定用穴部に挿入することを簡単な構造で実現できる照明装置を提供することが可能となる。
【図面の簡単な説明】
【００１５】
【図１】実施例１の照明装置の形状の一例を示す斜視図
【図２】実施例１の照明装置におけるランプ口金部とソケットの凹部の関係を説明するための図
【図３】実施例１の照明装置を構成するランプの形状の一例を示す図
【図４】実施例１の照明装置を構成するソケットの形状の一例を示す図
【図５】従来の照明装置におけるソケットとランプの形状の一例を示す概念図
【符号の説明】
【００１６】
０１００、０２００      照明装置
０１１０、０２１０      ランプ
０１１１、０２１１      口金部
０１１２、０２１２      ランプピン
０１２０、０２２０      ソケット
０１２１      有底略円筒形状凹部
Ｌ１      有底略円筒形状凹部凹部の高さ（深さ）
Ｌ２      ランプピンの長さ
Ｌ３      有底略円筒形状凹部の内径
Ｌ４      口金部の外径
【発明を実施するための形態】
【００１７】
以下に、本発明の実施例を説明する。なお、本発明はこの実施例に何ら限定されるものではなく、その要旨を逸脱しない範囲において、種々なる態様で実施しうる。
【実施例１】
【００１８】
<概要>
【００１９】
本実施例の照明装置は、略円筒形状の口金部を有するランプと、前記ランプを着脱可能に装着するために前記口金部を嵌装可能な有底略円筒形状凹部を有するソケットとからなる照明装置であり、ランプをソケットに対して回転させることでランプピンをソケット底面で回転させてランプピン固定用穴部をさぐる際に、回転するランプの口金部の周囲が有底略円筒形状凹部の内壁面でガイドして回転するランプの回転軸が大きくぶれないように構成される点に特徴を有する。
【００２０】
<構成>
【００２１】
（照明装置全般）
【００２２】
本実施例の照明装置は、略円筒形状の口金部を有するランプと、前記ランプを着脱可能に装着するために前記口金部を嵌装可能な有底略円筒形状凹部を有するソケットとからなる。
【００２３】
図１は、本実施例の照明装置の形状の一例を示す斜視図である。本図に示すように、本実施例に係る照明装置０１００は、ランプ０１１０と、ソケット０１２０とからなる。照明装置として使用するためにランプをソケットに装着する際には、ランプを矢印Ａ方向に移動させてランプの口金部０１１１に突設されたランプピン０１１２をソケットの有底略円筒形状凹部０１２１に挿入して、凹部底面（図示されない）にあてがい押しつけながら底面に平行な方向（矢印Ｂ方向もしくはその反対方向）に回転させる。
【００２４】
ここで、本発明の照明装置が従来のものと異なる点は、ソケットの凹部の高さ（深さ）がランプピンの長さよりも長く構成されている点にある。また、口金部の外径はソケット凹部の内径とほぼ等しくそれより若干短い程度である。そこで、ランプピンをソケットの凹部底面にあてがい押しつけながら回転させた場合、口金部の先端付近の側面とソケット凹部の上端付近の内壁面が一部重なり合う状態となり、この状態でほぼぴったりと嵌り合う形でランプが回転することとなる。このため、口金部の挿入角度がソケット凹部の内壁面に規制され、ランプの回転軸が垂直方向から大きくぶれることがない。
【００２５】
図２は、本実施例の照明装置におけるランプ口金部とソケットの凹部の関係を説明するための図であって、図１に示したソケットとランプのＸ‐Ｘ線断面図にあたる図である（ただし、あくまでランプ口金部とソケットの凹部の関係を説明するための図であるので、図１に示したソケットおよびランプの形状とは必ずしも一致しない。また、図１と異なりランプピンをソケットの有底略円筒形状凹部に挿入し、ランプピンがソケットの凹部底面に接触した状態を示す）。本図でも、ソケットの断面は右上がり斜線で示し、ランプの断面は左上がり斜線で示した。本図は、ランプピンをソケットの有底略円筒形状凹部に挿入した直後の状態であり、未だランプピンがランプピン固定用穴部に重なる位置まで達していない状態を示している。この図に示すように、本実施例の照明装置０２００では、ソケット０２２０の凹部の高さ（深さ）Ｌ１の方がランプ０２１０のランプピン０２１２の長さＬ２よりも長い。この結果、ランプピンをソケットの有底略円筒形状凹部に挿入したときに、ソケットの口金部０２１１の一部（先端部分）も凹部の内部に挿入された状態となる。
【００２６】
また、ソケット凹部の内径Ｌ３はランプの口金部の外径Ｌ４にほぼ等しく若干長い程度である。換言すれば、ランプ口金部をソケット凹部に挿入したときに、口金部がソケット凹部にほぼぴったり嵌り合う関係になっている。
【００２７】
ランプ口金部とソケットの凹部の関係が以上のようになっているため、ランプピンをソケットの有底略円筒形状凹部に挿入し、ランプピンを底面にあてがった状態でランプを底面に平行に回転させた場合に、ソケット凹部の内壁面にほぼ接しているランプの口金部の先端面が当該内壁面に規制されるため、ランプが大きく傾くことがなく、この結果ランプの回転軸が大きくぶれることがない。
【００２８】
そこで、ランプピンは凹部底面との接触を保ったまま、ランプを概ね垂直を保った状態で回転させることができることとなり、この結果、ランプピンがランプピン固定用穴部の位置に重なった時に、底面に押しつけられた状態のランプピンがランプピン固定用穴部の中に挿入されることになる。
【００２９】
（ランプ）
【００３０】
本実施例のランプは、公知の市販品等を利用可能である。
【００３１】
（ランプの寸法・形状の一例）
【００３２】
図３は、本実施例の照明装置を構成するランプの形状の一例を示す図である。本図に示すランプ０３１０は、市販品であるフィリップス社製「マスターカラー（登録商標）ＣＤＭ−Ｒｍ」の例であり、口金のタイプはＧＸ１０（いわゆるツイストロック式）である。当該ランプの口金部０３１１の外径Ｌ４は２２．５ｍｍ、ランプピン０３１２の長さＬ２は６．４ｍｍであり、一対のランプピンの中心間の距離は１０．０ｍｍである。なお、ランプ前面の直径は５０ｍｍ程度、ランプ前面からランプピンの先端までの長さは６０ｍｍ程度である。
【００３３】
本実施例の照明装置を構成するランプは、上のような装着方式のものであれば、このほかにも様々な形状・寸法のものに対応可能である。いずれの場合においても、これらランプの口金部の外径、ランプピンの長さや一対のランプピンの中心間の距離は、定格電圧などに応じてほぼ規格で決まっている。従って、本発明の照明装置における構成は、構成対象となるランプの規格に合わせて次に述べるソケットの形状・寸法を規定することにより実現される。
【００３４】
（ソケット）
【００３５】
上述のように、本実施例のソケットは、照明装置の構成対象となるランプの規格に合わせて形状・寸法が規定される。
【００３６】
（ソケットの寸法・形状の一例）
【００３７】
図４は、本実施例の照明装置を構成するソケットの形状の一例を示す図である。本図に示すソケット０４２０は、図３に示したランプの規格に合わせてその形状・寸法を規定した例である。具体的には、有底略円筒形状凹部０４２１の内径Ｌ３が２２．８ｍｍ、凹部の高さ（深さ）Ｌ１が１２．２ｍｍである。なお、ソケットの外径は３２ｍｍ程度、ソケットの高さは２４ｍｍ程度である。つまり、凹部の高さ（深さ）（１２．２ｍｍ）は、ランプピンの長さ（６．４ｍｍ）よりも長く構成され、有底略円筒形状凹部の内径（２２．８ｍｍ）は、ランプの口金部の外径（２２．５ｍｍ）とほぼ等しくそれより若干長く構成されている。
【００３８】
そこで、図３に示したランプを図４に示したソケットに装着する際には、図２を用いて説明したような構成によって、ランプピンをソケットの有底略円筒形状凹部に挿入し、ランプピンを底面にあてがった状態でランプを底面に平行に回転させた場合に、ソケット凹部の内壁面にほぼ接しているランプの口金部の先端面が当該内壁面に規制されるため、ランプが大きく傾くことがなく、この結果ランプの回転軸が大きくぶれないようにすることが可能となる。
【００３９】
ソケットのその他の構成は、同じ装着方式の公知のソケットと同様である。
【００４０】
即ち、図４にも示されているように、有底略円筒形状凹部の底０４２２には、一対のランプピン固定用穴部０４２３が備えられ、それぞれのランプピン固定用穴部の内部には、ランプピンをソケットに電気的に接続するための端子０４２４が備えられている（本図右側のランプピン固定用穴部内部の端子は図には現れない）。図４の例では、当該端子は板ばねであり、一対の板ばねのいずれもがソケット底面の中心方向に向かって付勢された状態で保持されている。ランプをソケットに装着する際には、ランプピンをソケットの有底略円筒形状凹部に挿入し、ランプピンを底面にあてがった状態でランプを底面に平行に回転させる。このとき、ランプの口金部の先端面がソケット凹部の内壁面に規制されるため、ランプを回転させれば自然にランプの回転軸が垂直方向から大きくずれることなく回転させることができる。また、ランプピン固定用穴部は一方の端部がランプピンの先端部よりやや広めに開口しており、他の部分はランプピンの先端部より狭くなっている。そこでランプピンがランプピン固定用穴部の一方の端部に重なっていない間はランプピンが穴部の中に挿入されることはなく、ランプピンがランプピンの先端部よりやや広めに開口しているランプピン固定用穴部の一方の端部の位置に重なった時にのみランプピン固定用穴部の中に挿入される。
【００４１】
ランプピンの先端部以外の部分は、先端部よりやや細くなっている。そして、ランプピンがランプピン固定用穴部内に挿入された状態では、この先端部よりやや細い部分がランプピン固定用穴部の底面上の開口部分に重なる位置にくるようになっている。このため、いったんランプピンがランプピン固定用穴部に挿入されれば、ランプピンはランプピン固定用穴部の中を移動可能な状態となる。そこで、この状態でランプを回転させることにより、ランプピンはランプピン固定用穴部内を端子によってソケットの中心方向に付勢されながら端子に沿って移動し、ランプピン固定用穴部の他端に突き当たったところでこれ以上は移動できない状態となる。この場合、ランプピンの先端は、上述のように端子によって中心方向に付勢されているため、反対方向に回転させる力を外部から加えない限りランプピンがランプピン固定用穴部内を逆方向に戻ることはなく、ランプピンがランプピン固定用穴部内で端子に接触した形で係止された状態が保たれる。
【００４２】
なお、図４において底面に穿たれている開口部０４２５はソケットを天井などに固定するためのビス穴である。また、一対の端子には、それぞれリード線０４２６が接続されている。
【００４３】
（ランプ・ソケットの寸法・形状の他の一例）
【００４４】
上述のように、本実施例の照明装置においては、様々な形状・寸法のランプを使用するのに合わせて、ソケットの形状・寸法も様々に設計可能である。
【００４５】
ランプ・ソケットの寸法・形状の他の一例として、ランプがアルミニウム製リフレクターを備えた、より大きな寸法・形状の例について市販品であるフィリップス社製「マスターカラー（登録商標）ＣＤＭ−Ｒ１１１」の場合について説明する。当該ランプは、口金のタイプがＧＸ８．５（いわゆるツイストロック式）である。当該ランプの口金部の外径は２５．０ｍｍ、ランプピンの長さは７．７ｍｍであり、一対のランプピンの中心間の距離は８．５ｍｍである。なお、リフレクターの直径は１１１ｍｍ程度、ランプ最前面からランプピンの先端までの長さは８７ｍｍ程度である。
【００４６】
そこで、これに対応するソケットの寸法・形状の一例としては、有底略円筒形状凹部の内径が２６．０ｍｍ、凹部の高さ（深さ）が１６．８ｍｍのものが考えられる。なお、ソケットの外径は３２ｍｍ程度、ソケットの高さは２９ｍｍ程度である。本例でも、凹部の高さ（深さ）（１６．８ｍｍ）は、ランプピンの長さ（７．７ｍｍ）よりも長く構成され、有底略円筒形状凹部の内径（２６．０ｍｍ）は、ランプの口金部の外径（２５．０ｍｍ）とほぼ等しくそれより若干長く構成されていることとなる。
【００４７】
そこで、この例の場合にも、ランプピンをソケットの有底略円筒形状凹部に挿入し、ランプピンを底面にあてがった状態でランプを底面に平行に回転させた場合に、ソケット凹部の内壁面にほぼ接しているランプの口金部の先端面が当該内壁面に規制されるため、ランプが大きく傾くことがなく、この結果ランプの回転軸が大きくぶれないようにすることが可能となる。
【００４８】
<効果>
【００４９】
本実施例の発明により、不安定な姿勢でランプを回転させてソケットに装着しなければならない場合であっても、ランプの回転軸が大きくぶれることがなく、ランプピンをスムーズにソケットの凹部底面のランプピン固定用穴部に挿入することを簡単な構造で実現できる照明装置を提供することが可能となる。
【図１】
2011040286.tif 000003
【図２】
2011040286.tif 000004
【図３】
2011040286.tif 000005
【図４】
2011040286.tif 000006
【図５】
2011040286.tif 000007